(57)【要約】【課題】    廃棄物を意識的に丁寧に投入させるように仕向けることができ、その結果、飲料容器に残留する飲料を周囲に飛散させ無いようにさせ、併せて、回収しようとする対象物以外の廃棄物をできるだけ投入させないように仕向けることができ、衛生面や管理面で優れた効果を発揮する廃棄物回収容器を提供すること【解決手段】  底板４と、底板４から起立する筒状の側壁１，３と、側壁１，３の上端に取付けた天井板２と、側壁１に形成されて当該側壁１の内外を連通させる投入口７とからなる廃棄物回収容器において、上記投入口７を上記天井板２に近接する上記側壁１の上方部位に勾配を天井板方向に向けて傾斜させた筒状又は樋状のシュート９で形成させた【選択図】  図１
2009018874.tif 000002
【特許請求の範囲】
【請求項１】
底板４と、底板４から起立する筒状の側壁１，３と、側壁１，３の上端に取付けた天井板２と、側壁１に形成されて当該側壁１の内外を連通させる投入口７とからなる廃棄物回収容器において、上記投入口７を上記天井板２に近接する上記側壁１の上方部位に勾配を天井板方向に向けて傾斜させた筒状又は樋状のシュート９で形成させたことを特徴とする廃棄物回収容器。
【請求項２】
側壁１の上部に内側上方に向けて傾斜するガイド壁６と、このガイド壁６の端部に直交して連設されながら外方上部に傾斜する支持壁５とを形成し、上記支持壁５に上記ガイド壁６と同一方向に延びるシュート９を取付けた請求項１の廃棄物回収容器。
【請求項３】
側壁１、３の内周に上記シュート９の出口に対向する邪魔板１０を水平又は傾斜して取付けた請求項１又は２の廃棄物回収装置。
【発明の詳細な説明】
【技術分野】
【０００１】
本発明は廃棄物回収容器に関し、特に飲料を飲み残した空き缶、ペットボトル、紙パック、紙コップ等の飲料容器の回収に適する廃棄物回収容器に関する。
【背景技術】
【０００２】
近年、自動販売機の普及により、道路わき、駅のホーム、公園など種々の場所に缶、紙パック、紙コップ、ペットボトルを収容した飲料の自動販売機が置かれ、その傍には上記飲料容器を回収する廃棄物回収容器が置かれている。
【０００３】
この廃棄物回収容器は、通常、金属或いは合成樹脂製の箱型の容器である。そして、その容器の上部に空き缶等を投入する投入口が設けられている。
【０００４】
この空き缶等の回収容器の形状や構造、及び投入口の位置や形状に関して、従来から種々提案されている。
【０００５】
例えば、
特許文献１に開示されているように容器の上面に投入口を設けた廃棄物回収容器、
特許文献２に示すような、容器の上部の側壁に投入口を設けた廃棄物回収容器、
特許文献３に示すような、容器の上部の壁に勾配をつけ、そこに下向きの投入口を設けた廃棄物回収容器、
あるいは、特許文献４に示すような、容器の上部の壁に下り勾配の円筒状の投入口を設けた廃棄物回収容器、
などが提案され、或いは実施されている。
【０００６】
そして、自動販売機で購入した飲料を飲んだ後に、この飲料を収容した空の容器又は若干飲み残しのある容器を投入口から容器本体内に投入して回収させるようにしている。
【特許文献１】実開平６‐１０２０１号公報（図面参照）
【特許文献２】特開平６‐１７９５０１号公報（図面参照）
【特許文献３】特開平１０-１７１０７号公報  （図面参照）
【特許文献４】登録実用新案３００４２９４号公報（図面参照）
【発明の開示】
【発明が解決しようとする課題】
【０００７】
上記従来の廃棄物回収装置では、機能上特に欠陥があるわけではないが、次のような不具合の改善が望まれている。
【０００８】
第１に、上記特許文献に示す従来の廃棄物回収容器の投入口は水平又は下方に向けて傾斜している為、空き缶、ペットボトル、紙コップ等の廃棄物の投入が容易であってスムースである半面、投入操作が雑になり、飲み残しの飲料が廃棄物回収容器の周囲に飛散する等の不具合がある。
【０００９】
即ち、投入口が回収容器の壁に水平又は下向きに開けられているため、空き缶等を投入するとき空き缶の開け口を下に向けて投入する場合があり、そのため空き缶投入時に空き缶に残留している飲み残し飲料が空き缶の開け口からこぼれ落ち、容器の投入口付近の内壁・外壁を汚す場合が多々ある。
【００１０】
また、紙コップは通常低部の直径が開口部の直径より小さいことからこの底部から投入口に投入される。しかし、投入口の直径が紙コップの開口部直径より小径であると紙コップが途中で止まってしまい、詰まったまま放置されてしまう場合がある。
【００１１】
これら従来の廃棄物回収容器は、衛生面や管理面で種々の問題点が指摘されているが、最も問題とされるのは、上記のように、汚くなりやすく、投入口付近の内外壁、特に内壁を汚すことである。
【００１２】
そして、夏場時期などには、飲み残し液に含まれている有機成分が腐敗して悪臭を発する。
【００１３】
第２に、上記投入口が水平又は下向きであることにより、空き缶等の飲料容器以外のものが投入されることである。
【００１４】
即ち、空き缶等の廃棄物、例えば、木片、紙屑、石ころ、等の異物が投入されることがしばしばある。
【００１５】
特に傘など長尺の物品が投入され、投入口が詰まって回収容器として役立たないことがある。
【００１６】
そこで、  本発明の目的は、上記の事情に鑑みなされたもので、廃棄物を意識的に丁寧に投入させるように仕向けることができ、その結果、飲料容器に残留する飲料を周囲に飛散させ無いようにさせ、併せて、回収しようとする対象物以外の廃棄物をできるだけ投入させないように仕向けることができ、衛生面や管理面で優れた効果を発揮する廃棄物回収容器を提供することである。
【課題を解決するための手段】
【００１７】
上記の目的を達成する為、本発明の手段は、底板と、底板から起立する筒状の側壁と、側壁の上端に取付けた天井板と、側壁に形成されて当該側壁の内外を連通させる投入口とからなる廃棄物回収装置において、上記投入口を上記天井板に近接する上記側壁の上方部位に勾配を天井板方向に向けて傾斜させた筒状又は樋状のシュートで形成させていることを特徴とする。
【００１８】
この場合、側壁の上部に内側上方に向けて傾斜するガイド壁と、このガイド壁の端部に直交して連設されながら外方上部に傾斜する支持壁とを形成し、上記支持壁に上記ガイド壁と同一方向に延びるシュートを取付けるのが好ましい。
【００１９】
同じく、側壁の内周に上記シュートの出口に対向する邪魔板を水平又は傾斜して取付けても良い。
【発明の効果】
【００２０】
一）  各請求項の発明によれば、シュートが天井板方向に向けて上方に傾斜しているので、このシュートの角度に沿って例えば、飲み残しの飲料が入っている空き缶との飲料容器を逆さにして投入すると、この飲料が投入者の身体、手、足にかかる。そこで、投入者は残留した飲料が自分方に溢れ出無いように飲料容器に開口部を上方に向けながらシュートに沿って投入使用とする意識をもつ。
【００２１】
従って、空き缶等の廃棄物を意識的に丁寧に投入させるように仕向けることができ、その結果、飲料容器に残留する飲料を周囲に飛散させ無いようにさせ、併せて、回収しようとする対象物以外の廃棄物をできるだけ投入させないように仕向けることができ、衛生面や管理面で優れた効果を発揮する。
【００２２】
二）  請求項２の発明によれば、シュートの入口に上向きに傾斜したガイド壁が形成されているので、シュートに向けて廃棄物をスムースに案内でき、投入操作を容易にし、雑な投入を防止できる。
【００２３】
三）  請求項３の発明によれば、シュートの出口に邪魔板が配置されているので、例えば長尺な傘、新聞紙、雑誌等の投入を困難にさせ、できるだけ、回収目的の廃棄物と異なる物品の投入を防止させることができる。
【００２４】
四）より詳しく説明すると、本発明の廃棄物回収容器は、投入口が上り勾配を持っているので、例えば、空き缶を投入するには、空き缶の一端を投入口に挿入し、次いで空き缶をシュートに沿って押し上げて、容器内に落下させる。
【００２５】
この空き缶等の一端を投入口に挿入したとき、空き缶の開け口を下にすると、空き缶に残留している飲み残し飲料がこぼれ出るため、使用者は空き缶の開け口を上にし、この部分を投入口に挿入する。  そして、シュートにそって押し上げて容器内に落下させる。
【００２６】
したがって、投入が完了するまで空き缶の開け口は上方を向いているので、空き缶の中の飲み残し飲料が投入口にこぼれ落ちることがない。
【００２７】
そのため、容器の投入口付近の内壁・外壁の汚れが防げる。
【００２８】
また、従来の廃棄物回収容器では、投入口が水平又は下向きに設けられているため、投入口で手を離すだけで落下投入できるので、しばしば空き缶以外の木片、石ころなどの異物も投入される不都合があったが、本発明の廃棄物回収容器は、投入口が上り勾配を持ったシュートであるので、空き缶以外の木片、石ころなどの異物を投入しようとしても、これらの異物もシュートに沿って押し上げないと投入できないため、面倒になり、投入しなくなる。
【００２９】
また、空き缶投入口が上り勾配を持ったシュートで側壁の上部の壁に投げられているので、傘などの長尺の物品を投入すべく、シュートに沿って挿入しても、その先端が容器の天井板又は邪魔板につかえてしまい、投入できない。
【００３０】
すなわち、傘等の長尺の物品の投入を阻止できる。
【００３１】
また、本発明の廃棄物回収容器では、空き缶等を上り勾配を持った円筒内を押し上げて容器内に落下投入させるため、空き缶を投入口に持って行き手を離すだけで投入する従来の廃棄物回収容器に比し、投入操作が煩雑になるが、この煩雑な操作を行うことのよって、使用者にリサイクルに協力したとか、消費に協力したとかの満足感を与える。
【発明を実施するための最良の形態】
【００３２】
以下本発明の実施の形態を図に基づいて説明する。
【００３３】
図１は、本発明の一実施の形態に係る廃棄物回収容器の一例の正面図、弟２図はそのＡ-Ａ線の縦断側面図である。
【００３４】
この廃棄物回収容器は、従来と同じく、底板４と、底板４から起立する筒状の前後左右の側壁１，３と、側壁１，３の上端に取付けた天井板２と、正面側側壁１に形成されて当該側壁１の内外を連通させる投入口７とからなる廃棄物回収容器からなるものである。
【００３５】
そして、本発明では、上記投入口７を上記天井板２に近接する上記側壁１の上方部位に勾配を天井板２方向に向けて傾斜させた筒状のシュート９で形成させている。
【００３６】
シュート９は断面半円状の樋状に形成しても良い。
【００３７】
また、側壁１の上部に内側上方に向けて傾斜するガイド壁６と、このガイド壁６の端部に直交して連設されながら外方上部に傾斜する支持壁５とを形成し、上記支持壁５に上記ガイド壁６と同一方向に延びるシュート９を取付けている。
【００３８】
本発明では、上記のように、シュート９が上方に傾斜しているので、空き缶等の飲料容器その他の廃棄物を意識的に丁寧に投入させるように仕向けることができ、その結果、飲料容器等に残留する飲料を周囲に飛散させ無いようにさせ、併せて、回収しようとする対象物以外の廃棄物をできるだけ投入させないように仕向けることができ、衛生面や管理面で優れた効果を発揮する。
【００３９】
回収容器は、金属製、合成樹脂製、木製、その他の剛体で直方体、円筒体状の箱型に形成されている。
【００４０】
図１の実施の形態では、投入口７は、例えば、上り勾配を持った円筒状であり、空き缶投入に適するように成形され、このシュート９は、空き缶を押し上げるとき誘導作用をする。
【００４１】
投入口８の直径及びシュート９の円筒の内径は、飲料容器、例えば、空き缶の外径よりやや大きめに形成されているのが好ましいが、これに限定されるものではない。
【００４２】
また、この投入孔８の直径及びシュート９の円筒の内径を、ペットボトルの外径よりやや大きめにし、ペットボトル回収用容器にしてもよい。
【００４３】
また、図１の例において、必要に応じて、投入口７を複数個設けてもよい。
【００４４】
例えば、投入口７を２個横に並べてもよいし、上下に並べてもよい。
【００４５】
投入口７を複数設ける場合、分別回収のため、アルミニウム空き缶用とスチール缶用に分けてもよい。
【００４６】
更に、投入孔８の大きさを変えて、缶用とベットボトル用に分けてもよい。
【００４７】
この廃棄物回収容器に例えば、空き缶を投入するには、空き缶の一端を投入孔８に入れ、空き缶の他の端がシュート９の終端を過ぎるまでシュート９に沿って空き缶を押し上げ、容器内に落下させる。
【００４８】
図３、図４、図５は、それぞれ、本発明の廃棄物回収容器の他の実施の形態に係る縦断側面図である。
【００４９】
図１の実施の形態と同じく、１は、廃棄物回収容器の正面の側壁である。
【００５０】
７は投入口、８は投入孔、９は斜め上方に傾斜して側壁１の上方に直接取り付けはシュートである。
【００５１】
図３は、廃棄物回収容器の垂直な側壁１に設けた例であり、シュート９を容器の内部に設けた例である。
【００５２】
図４は、シュート９を、側壁１を跨いで設けた例である。
【００５３】
図５は、シュート９を容器の外部に設けた例である。
【００５４】
また、本発明の廃棄物回収容器おいて、投入口７と容器の上部天井板２との間に距離があり、傘などの長尺の物品が投入される恐れがある場合には、図６に示すように、上方に、蔽い板１０を取付けても良い。
【００５５】
即ち、側壁１の内周に上記シュート９の出口に対向する邪魔板１０を水平又は傾斜して取付ける。これにより、傘、新聞紙、雑誌など長尺の物品を投入しようとすると、その先端が邪魔板１０に当り、容器内に投入できないので、これらの投入を阻止できる。
【００５６】
尚、上記の各実施の形態において、投入口７の直径を開口部の直径が低部の直径より大きい紙コップ、その他同様の廃棄物を投入するような場合は、投入口７の直径を紙コップ等の開口部直径より大きく成形しておくことが肝要である。この場合は、紙コップ等が投入口より確実に回収容器内に投入され、紙コップ等が投入口７の途中で詰まるのが防止される。
【図面の簡単な説明】
【００５７】
【図１】本発明の意実施の形態に係る廃棄物回収容器の正面図である。
【図２】図１中のＡ‐Ａ線縦断側面図である。
【図３】他の実施の形態に係る廃棄物回収容器の縦断側面図である。
【図４】更に、別の実施の形態に係る廃棄物回収容器の縦断側面図である。
【図５】更に別の実施の形態に係る廃棄物回収容器の縦断側面図である。
【図６】更に別の実施の形態に係る廃棄物回収容器の縦断側面図である。
【符号の説明】
【００５８】
１  側壁
２  天井板
３  側壁
４  底板
５  支持壁
６  ガイド壁
７  投入口
８  投入孔
９  シュート
１０  邪魔板
【図１】
2009018874.tif 000003
【図２】
2009018874.tif 000004
【図３】
2009018874.tif 000005
【図４】
2009018874.tif 000006
【図５】
2009018874.tif 000007
【図６】
2009018874.tif 000008